(57)【特許請求の範囲】
【請求項１】
内部に雨水を溜めるタンク本体と、このタンク本体とは別体とされた架台とを備え、前記タンク本体の底部に前記架台が一体的に結合された雨水貯留タンクが、設置面上に据え置かれて固定される雨水貯留タンクの固定構造であって、
固定具は、平らな固定片と、固定片から略垂直に立ち上がり、先端部に、固定片と反対側に折れ曲がった係止部を有する立ち上がり片とを備え、全体が略Ｌ字形の形状を有するとともに、前記立ち上がり片は、架台の高さに略等しい長さを有し、
タンク本体と架台の間には、タンク本体と架台との結合に伴う化粧溝が形成されており、
前記化粧溝に固定具の係止部が差し込まれ、固定片が、雨水貯留タンクの設置面に固定され、係止部が化粧溝を係止し、雨水貯留タンクが、固定具によって設置面上に据え置かれて固定されることを特徴とする雨水貯留タンクの固定構造。
【請求項２】
固定具が、雨水貯留タンクの四方に配置され、各固定具が、雨水貯留タンクを均等に支持することを特徴とする請求項１に記載の雨水貯留タンクの固定構造。
【発明の詳細な説明】
【技術分野】
【０００１】
本発明は、雨水貯留タンクの固定構造に関する。
【背景技術】
【０００２】
従来、雨水を草花や庭木などへの散水や洗車などに利用することが行われている。このような雨水の利用は、節水を可能にし、環境の保護などに貢献している。
【０００３】
これまでに知られている雨水利用システムでは、雨樋に分岐して雨水貯留タンクを接続し、雨水貯留タンク内に雨水を溜め、必要なときに雨水を取り出せるようにしている。
【０００４】
雨水貯留タンクは、地面に直接またはブロックを敷いた上に据え置いて設置されるのが普通であるが、設置面は必ずしも平坦であるとは限らず、設置状態が不安定となることが少なくない。地震や風雨などによって雨水貯留タンクは、前後に転倒したり、水平方向に位置ずれしたりすることがある。
【０００５】
下記特許文献１には、雨水利用縦タンクの取付構造が記載されている。
【０００６】
特許文献１に記載された雨水利用縦タンクの取付構造では、雨水利用縦タンクを住宅の壁面に強固に取り付けるために、取付部材が、壁面とタンクの間に配置され、タンクの外周との接触面を有する支持プレートと、この支持プレートに取付可能とされた梁付けプレートと、ベルトとから構成されている。支持プレートおよび梁付けプレートによる壁面からの支持と、ベルトによる押え付けとによって、雨水利用縦タンクを住宅の壁面に固定強度を高めてしっかりと固定するようにしている。
【先行技術文献】
【特許文献】
【０００７】
【特許文献１】特開２００２−８８８２４号公報
【発明の概要】
【発明が解決しようとする課題】
【０００８】
しかしながら、上記特許文献１に記載された雨水利用縦タンクの取付構造は、雨水利用縦タンクを壁面に取り付けるものであり、取付部材として支持プレート、梁付けプレートおよびベルトが必要とされ、必ずしも雨水貯留タンクを簡便に取り付けるものとはなっていない。強固な取付けが可能となる一方で、取付作業に多少煩雑な面が否めず、住宅の外壁部の構造によっては、雨水貯留タンクの設置場所などに制約が課せられる可能性などもある。
【０００９】
本発明は、以上のとおりの事情に鑑みてなされたものであり、雨水貯留タンクを設置面上に簡便に据え置いて設置することができ、転倒や位置ずれなどを十分に抑制することのできる雨水貯留タンクの固定構造を提供することを課題としている。
【課題を解決するための手段】
【００１０】
本発明は、上記の課題を解決するために、以下の特徴を有している。
【００１１】
第１の発明は、部に雨水を溜めるタンク本体と、このタンク本体とは別体とされた架台とを備え、前記タンク本体の底部に前記架台が一体的に結合された雨水貯留タンクが、設置面上に据え置かれて固定される雨水貯留タンクの固定構造であって、固定具は、平らな固定片と、固定片から略垂直に立ち上がり、先端部に、固定片と反対側に折れ曲がった係止部を有する立ち上がり片とを備え、全体が略Ｌ字形の形状を有するとともに、前記立ち上がり片は、架台の高さに略等しい長さを有し、タンク本体と架台の間には、タンク本体と架台との結合に伴う化粧溝が形成されており、前記化粧溝に固定具の係止部が差し込まれ、固定片が、雨水貯留タンクの設置面に固定され、係止部が化粧溝を係止し、雨水貯留タンクが、固定具によって設置面上に据え置かれて固定されることを特徴としている。
【００１２】
第２の発明は、上記第１の発明の特徴において、固定具が、雨水貯留タンクの四方に配置され、各固定具が、雨水貯留タンクを均等に支持することを特徴としている。
【発明の効果】
【００１３】
上記第１の発明によれば、雨水貯留タンクは、タンク本体と架台の間に形成された化粧溝に固定具の係止部が差し込まれ、固定片が設置面に固定され、係止部が化粧溝を係止して、地面や土間などの設置面上に据え置かれて固定される。強風が吹いても雨水貯留タンクは浮き上がることがなく、位置ずれしにくく、地震などの振動によって前後に転倒するのが抑制される。人などの接触によっても転倒は抑制される。雨水貯留タンクは、設置面上に安定な状態で据え置かれる。また、雨水貯留タンクの固定作業は、固定具の係止部を化粧溝に差し込み、固定片を設置面に固定するだけで済み、簡便かつ容易である。
【００１４】
上記第２の発明によれば、上記第１の発明の効果に加え、固定具が、雨水貯留タンクの四方に配置され、各固定具が、雨水貯留タンクを均等に支持するので、雨水貯留タンクは、設置面上により安定な状態で据え置かれる。前後左右への転倒および位置ずれが一層抑制される。
【図面の簡単な説明】
【００１５】
【図１】本発明の雨水貯留タンクの固定構造の一実施形態を示した斜視図である。
【図２】図１に示した雨水貯留タンクの正面図である。
【図３】図１に示した雨水貯留タンクの分解斜視図である。
【図４】図１に示した固定具を拡大して示した斜視図である。
【発明を実施するための形態】
【００１６】
上記のとおり、図１は、本発明の雨水貯留タンクの固定構造の一実施形態を示した斜視図である。図２は、図１に示した雨水貯留タンクの正面図であり、図３は、図１に示した雨水貯留タンクの分解斜視図である。図４は、図１に示した固定具を拡大して示した斜視図である。
【００１７】
雨水貯留タンク１は、内部に雨水を溜めるタンク本体２と、タンク本体２の上端部への取り付けおよび取り外しが自在とされた上蓋３と、タンク本体２の底部に一体的に結合され、タンク本体２を支持する架台４とを備えている。
【００１８】
タンク本体２は、横断面が略楕円状の形状を有する有底筒状の箱体である。タンク本体２の前面２ａおよび後面２ｂは平面状であり、左側面２ｃおよび右側面２ｄは曲面状である。前面２ａの下端部には、凹部５が形成され、凹部５は、横断面が略半円状の形状を有している。凹部５の上端部には、コック６が設けられ、コック６は開閉自在であり、開放することによって、先端の吐出口７から、タンク本体２に貯留する雨水をタンク本体２の外部に取り出すことができる。コック６を閉鎖すると、雨水の吐出が停止する。コック６の開閉は、レバー８の回動操作によって実現される。
【００１９】
タンク本体２の底部には、前後方向の中央部でかつ左右方向の中央部に、略円筒状の形状を有するネジ部９が、下方に突出して設けられている。ネジ部９には、その外周面に雄ネジが形成されている。ネジ部９は、タンク本体２の内部と連通し、タンク本体２と一体に形成されている。ネジ部９は、その下端から、タンク本体２の内部に貯留する雨水を外部に排水可能としており、ドレンとして機能する。また、ネジ部９は、タンク本体２と架台４の結合を実現するものでもある。
【００２０】
また、タンク本体２の底部には、ネジ部９を挟んで左右両側に、凸部１０が下方に突出して設けられている。凸部１０は、タンク本体２の底部から下方に向かって延び、次第に縮径する略円錐台状の形状を有し、タンク本体２と一体に形成されている。また、凸部１０は、タンク本体２の内部と連通している。そして、凸部１０には、その下面から下方に突出するネジ部１１が設けられている。ネジ部１１にも、ネジ部９と同様に、雄ネジが外周面に形成されている。一方、ネジ部１１では、その下面は閉鎖されており、タンク本体２の内部に貯留する雨水は、ネジ部１１の下面から外部に抜けないようになっている。
【００２１】
このようなタンク本体２は、風雨や日射に曝されても変質のしにくい耐久性などを有する樹脂などから形成することができる。また、タンク本体２への雨水の供給は、たとえば、住宅などの建物に設けられた雨樋に分岐してタンク本体２を接続することによって、降雨にともなって行うことができ、人手を介さずに行うことができる。たとえば、タンク本体２の後面２ｂの上端部に取水口を設け、この取水口に、雨樋から分岐して延びる給水管を接続することができる。また、溜める雨水の量は、タンク本体２の容量により決まるため、許容量を超える雨水の供給が行われたときには、余剰分を外部に排水する必要が生じる。この雨水の排水を考慮して、タンク本体２の後面２ｂの上端部において、取水口と異なる位置に、オーバーフロー口を設けるとともに、オーバーフロー口を排水管を介して雨樋に接続することができる。
【００２２】
架台４は、タンク本体２の外形形状に一致する外形形状を有している。架台４の前側部分には、タンク本体２の凹部５に対応する凹部１２が形成されている。架台４の凹部１２は、タンク本体２の凹部５とによって、コック６の下方にじょうろやバケツなどの配置を可能とし、じょうろやバケツなどへ雨水を移し変えるのを容易としている。
【００２３】
架台４には、その上端部に、平板状の形状を有するタンク本体受け部１３が設けられている。タンク本体受け部１３は、その上に載置されるタンク本体２を支持する。
【００２４】
タンク本体受け部１３には、タンク本体２のネジ部９に対応する位置に孔１４が形成されている。孔１４の内径は、ネジ部９の外径よりもやや大きく、ネジ部９の挿通を可能にしている。また、タンク本体受け部１３には、孔１４を挟んで左右両側に、タンク本体２の凸部１０に対応して凹部１５が形成されている。凹部１５は、凸部１０の外形形状に対応する形状を有しており、凸部１０の受けとして機能する。凹部１５の下面には略円形状の孔１６が形成されている。孔１６の内径は、凸部１０に設けられたネジ部１１の外径より大きく、ネジ部１１の挿通を可能にしている。
【００２５】
また、架台４では、タンク本体受け部１３に形成されたそれぞれの孔１６を中心として、側壁１７が、略円筒状に形成され、脚部を構成している。架台４は、地面や土間などの設置面との接触面積を小さくし、タンク本体２を安定に支持し、雨水貯留タンク１のぐらつきなどを抑制することができる。
【００２６】
このような架台４も、風雨や日射に曝されても変質のしにくい耐久性などを有する樹脂などから形成することができる。
【００２７】
上蓋３も、架台４と同様に、その外形形状は、タンク本体２の外形形状に一致している。上蓋３は、平板状の天面部１８と、天面部１８の周端縁から下方に垂下する周壁部１９とを有している。天面部１８と周壁部１９は、一体に形成されている。このような上蓋３も、風雨や日射に曝されても変質のしにくい耐久性などを有する樹脂などから形成することができる。
【００２８】
タンク本体２では、上蓋３の取り付けを可能とするために、上端部に、平板状の上蓋受け部２０が設けられている。上蓋受け部２０は、タンク本体２の外周面よりも若干内側に形成され、上蓋３が取り付けられたときに、上蓋３の周壁部１９の外周面が、タンク本体２の外周面と略同一面上に配置されるようにしている。また、上蓋受け部２０は、上蓋３の天面部１８の裏面と面接触し、上蓋３とタンク本体２の間に化粧溝２１の形成を可能にしている。そして、上蓋受け部２０では、タンク本体２のメンテナンスなどを可能にするために、タンク本体２の内外を貫通する開口２２が左右に一つずつ形成されている。
【００２９】
このような雨水貯留タンク１では、タンク本体２と架台４を一体的に結合した状態において地面や土間などの設置面上に据え置かれる。
【００３０】
タンク本体２と架台４を結合する際には、タンク本体２の底部に設けられた凸部１０を架台４に設けられたタンク本体受け部１３の凹部１５に差し込み、ネジ部１１を孔１６の内部に挿入する。このとき、タンク本体２と架台４は位置決めされる。また、タンク本体２の底部に設けられたネジ部９が、架台４のタンク本体受け部１３に形成された孔１４の内部に挿入される。そして、孔１６から下方に突出するネジ部１１の先端から、雌ネジが形成されているナットなどの締結具２３をねじ込み、固定する。同様に、孔１４の下方に突出するネジ部９の先端から締結具２３をねじ込み、固定する。こうして、架台４は、タンク本体２の底部に一体的に結合される。タンク本体２の底部は、タンク本体受け部１３に面接触し、また、凸部１０が凹部１５に係合し、結合強度が高められるとともに、タンク本体２の重量がタンク本体受け部１３の全体に分散される。このため、タンク本体２は、架台４に安定に支持され、位置ずれや脱落などが十分に抑制される。
【００３１】
なお、一体的に結合した状態において、タンク本体２と架台４の間には、上蓋３をタンク本体２に取り付けたときに形成される化粧溝２１と同様な化粧溝２４が形成される。タンク本体２には、その外周面部に、化粧溝２１、２４と同様な化粧溝２５が、高さ方向に一定の間隔で２本形成されている。化粧溝２１、２４、２５は、雨水貯留タンク１の外観に立体感などを付与し、外観の向上に寄与している。
【００３２】
タンク本体２と架台４が一体的に結合された雨水貯留タンク１は、地面や土間などの設置面上に据え置かれ、固定される。雨水貯留タンク１の固定には、固定具２６が使用される。
【００３３】
固定具２６は、平らな固定片２７と、固定片２７から略垂直に立ち上がり、先端部に、固定片２７と反対側に折れ曲がった係止部２８を有する立ち上がり片２９とを備え、全体が略Ｌ字形の形状を有している。立ち上がり片２９は、雨水貯留タンク１の架台４の高さに略等しい長さを有している。
【００３４】
固定具２６は、係止部２８を、雨水貯留タンク１においてタンク本体２と架台４の間に形成された化粧溝２４に差し込み、固定片２７を設置面に接触させて固定することにより、雨水貯留タンク１を設置面上に固定する。固定片２７の固定には、たとえば、アンカーボルト３０を用いることができる。アンカーボルト３０は、土間などのコンクリートから形成される設置面に対しては植設したり、地面などには埋設したりするなどして雨水貯留タンク１の設置位置に対応させてあらかじめ設けることができる。そして、固定片２７には、設置面から突出するアンカーボルト３０の、雄ネジが形成されたネジ部３０ａを挿通可能とする孔を形成しておき、この孔の内部にネジ部３０ａを挿入した後、雌ネジが形成されたナット３１をネジ部３０ａの先端側からねじ込み、固定片２７を設置面に固定することができる。このような固定片２７の固定によって、固定具２６の係止部２８は、化粧溝２４を係止し、雨水貯留タンク１は、固定具２６によって設置面上に据え置かれて固定される。
【００３５】
固定具２６は、たとえば、雨水貯留タンク１の前後左右の四隅部に一つずつの四方に配置することができる。このような固定具２６の、雨水貯留タンク１の略対角方向の配置は、各固定具２６が、雨水貯留タンク１を均等に支持することを可能にする。
【００３６】
このように、雨水貯留タンク１は、タンク本体２と架台４の間に形成された化粧溝２４に固定具２６の係止部２８が差し込まれ、固定片２７が設置面に固定され、係止部２８が化粧溝２４を係止して、地面や土間などの設置面上に据え置かれて固定される。したがって、強風が吹いても雨水貯留タンク１は浮き上がることがなく、位置ずれしにくく、地震などの振動によって前後に転倒するのが抑制される。人などの接触によっても転倒は抑制される。雨水貯留タンク１は、設置面上に安定な状態で据え置かれる。また、雨水貯留タンク１の固定作業は、固定具２６の係止部２８を化粧溝２４に差し込み、固定片２７を設置面に固定するだけで済み、簡便かつ容易である。
【００３７】
また、固定具２６を雨水貯留タンク１の四方に配置する場合には、各固定具２６が、雨水貯留タンク１を均等に支持するので、雨水貯留タンク１は、設置面上により安定な状態で据え置かれ、前後左右への転倒および位置ずれが一層抑制される。
【００３８】
なお、タンク本体２と架台４の間に形成された化粧溝２４は、雨水貯留タンク１の全周に均一に設けられるものであるので、固定具２６の使用数や配置位置は、雨水貯留タンク１の大きさや雨水の貯水量などに応じて適宜変更することができる。
【００３９】
本発明は、以上の実施形態によって限定されるものではない。雨水貯留タンクの構成および構造、形状および大きさなどは多種多様のものが可能であり、固定具の固定方式、使用数や配置位置なども特に限定されない。
【符号の説明】
【００４０】
１  雨水貯留タンク
２  タンク本体
４  架台
２４  化粧溝
２６  固定具
２７  固定片
２８  係止部
２９  立ち上がり片
【図１】
0005462657.tif 000002
【図２】
0005462657.tif 000003
【図３】
0005462657.tif 000004
【図４】
0005462657.tif 000005